(57)【要約】      （修正有）【課題】単独で又は長手方向に一列に配列させて使用する場合でも照明器具本体真上の天井面に映る反射板等の影を小さくして天井面における照度分布の均一化を図り、また、反射板の調整を容易かつ簡単迅速に行えるようにする。【解決手段】左右方向に横長の光源ランプ２を内装した照明器具本体に吊下げ長さの調整が可能な吊着用吊具を装備させ、その照明器具本体に光源ランプ２からの照明光を下方へと投光させる下面開口部と上方へと投光させる上面開口部とを形成し、上面開口部に反射板６を有する照明器具において、上面開口部を照明器具本体の上面に略全般に亘って開口する１つの広い上面開口部に形成し、上面開口部の上に斜め上前方と斜め上後方とに起立する前後一対の反射板６を光源ランプ２に対し長手方向に沿わせかつ間隔を隔てて前後対称に配して、前後対称連動で双方の角度調整が可能に装備させる。【選択図】図１
2012142207.tif 000002
【特許請求の範囲】
【請求項１】
左右方向に横長の光源ランプを内装した照明器具本体に吊下げ長さの調整が可能な吊着用吊具を装備させ、また、その照明器具本体に上記光源ランプからの照明光を下方へと投光させる下面開口部と上方へと投光させる上面開口部とを形成し、該上面開口部に反射板を有する照明器具において、上記上面開口部を上記照明器具本体の上面に略全般に亘って開口する１つの広い上面開口部に形成し、該上面開口部の上に斜め上前方と斜め上後方とに起立する前後一対の反射板を上記光源ランプに対してそれぞれ長手方向に沿わせてかつ前後対称に配するとともに、前後対称連動にて双方の傾斜角度の調整が可能に装備させたことを特徴とする照明器具。
【請求項２】
上記前後一対の反射板の相互間に、上記光源ランプからの照明光を通過させる隙間を設けた請求項１記載の照明器具。
【請求項３】
上記光源ランプとして直管形蛍光灯を用い、上記吊具の吊下げ長さの調整手段としてラチェットを有して成る昇降調整機構を用い、上記前後一対の反射板の前後対称連動手段として歯車連動機構を用いた請求項１又は請求項２記載の照明器具。
【発明の詳細な説明】
【技術分野】
【０００１】
本発明は、天井面に映る反射板等の影を小さくして天井面の照度分布を均一化させるとともに反射板の調整を容易にする天井用吊下げ型照明器具に関するものである。
【背景技術】
【０００２】
従来のこの種の照明器具として、下記特許文献１に開示されたものがある。これに示されている照明器具は、２本の直管形蛍光灯を横長姿勢で前後並列に内装しかつ吊具により天井に吊設される照明器具本体に、両直管形蛍光灯の照明光を下方へ投光させる１つの広い下面開口部を設けるほか、上方へ投光させる前後２つの上面開口部を各直管形蛍光灯に対応させて設けるとともに、各上面開口部には、上方への投光のビーム中心を隣接して取り付けられる照明器具との略中央の天井面に向け得る反射板、つまり、上方への投光を斜め上前方又は斜め上後方へと偏光させる回動自在な反射板を、各々直管形蛍光灯に対応させて配しており、もって、取り付けられた隣接照明器具相互により天井面の輝度むらを低減しようとするものであり、また、照明器具の取付ピッチを変更しても輝度むらが生じないようにしようとするものである。
【０００３】
ところで、特許文献１に特段の記載はないが、この種の照明器具では、通常、建物の現場状況や使用目的などに適合させるために、吊具において照明器具本体の上下位置調整ができるよう配慮されている。例えば、ねじ棒とナット、掛け位置を変え得る吊紐や吊チェーンなどがそれである。
【先行技術文献】
【特許文献】
【０００４】
【特許文献１】特許第３８０６９６３号公報（特開平９‐２０４８１１号公報）
【発明の概要】
【発明が解決しようとする課題】
【０００５】
しかしながら、以上に述べた特許文献１の照明器具では、複数が前後に隣接して配されることによってのみ、隣接相互の相乗効果で天井面の輝度むらを低減でき、取付ピッチの変更にも対処できるのであって、単独で又は長手方向に一列に配列させて使用する場合には、照明器具本体の前後２つの上面開口部の間にある上面中間閉塞部と両反射板とが直管形蛍光灯からの上方への投光を阻害して照明器具本体真上の天井面に影が生じ、この影は照明器具本体が天井面に近付けば近付くほど大きくなるから、輝度むらの低減等は到底期待できず、天井面の照度分布を均一化させることはできない。また、前後２つの反射板はそれぞれが回動自在なものではあっても、その回動調整は個別に行わなければならず、調整が煩雑で容易かつ簡単迅速には行えない。
【０００６】
本発明は、このような従来の構成が有していた問題を解決しようとするものであり、単独で又は複数を長手方向に一列に配列させて使用する場合でも、照明器具本体真上の天井面に映る反射板等の影を小さくして、天井面における照度分布の均一化を図り、併せて、反射板の調整を容易かつ簡単迅速に行えるようにすることを目的とするものである。
【課題を解決するための手段】
【０００７】
上記目的を達成するため、本発明の第１の課題解決手段は、左右方向に横長の光源ランプを内装した照明器具本体に吊下げ長さの調整が可能な吊着用吊具を装備させ、また、その照明器具本体に上記光源ランプからの照明光を下方へと投光させる下面開口部と上方へと投光させる上面開口部とを形成し、該上面開口部に反射板を有する照明器具において、上記上面開口部を上記照明器具本体の上面に略全般に亘って開口する１つの広い上面開口部に形成し、該上面開口部の上に斜め上前方と斜め上後方とに起立する前後一対の反射板を上記光源ランプに対してそれぞれ長手方向に沿わせてかつ前後対称に配するとともに、前後対称連動にて双方の傾斜角度の調整が可能に装備させて成る。
【０００８】
第２の課題解決手段は、上記第１の課題解決手段にあって、上記前後一対の反射板の相互間に、上記光源ランプからの照明光を通過させる隙間を設けて成る。
【０００９】
そして、第３の課題解決手段は、上記第１又は第２の課題解決手段にあって、上記光源ランプとして直管形蛍光灯を用い、上記吊具の吊下げ長さの調整手段としてラチェットを有して成る昇降調整機構を用い、上記前後一対の反射板の前後対称連動手段として歯車連動機構を用いて成る。
【００１０】
上記第１の課題解決手段による作用は次の通りである。すなわち、照明器具本体の上面に略全般に亘って開口する１つの広い上面開口部が形成されているから、該上面開口部により光源ランプから照明器具本体真上に向かう照明光の投光が可能となり、そして、当該上面開口部の上に配した前後一対の反射板の間には一定の間隔を保有させることができるから、前後一対の反射板の間でその投光の通過が可能となる。したがって、光源ランプからの照明光は、照明器具本体真上の天井面を照らし、斜め上前方と斜め上後方とに起立している前後一対の反射板の上方へも回り込む。その結果、天井面に映る両反射板の影は、光源ランプ１灯式の場合、図１（Ａ）の原理図が示すように極めて小さくなり、光源ランプ２灯式の場合、２灯間の協調作用により図１（Ｂ）の原理図が示すように全く生じない状態となる。
【００１１】
また、前後一対の反射板を前後対称に配するとともに前後対称連動にて双方の傾斜角度の調整を可能にしたことは、いずれか一方の反射板の角度調整で両反射板の同時調整を可能にし、吊具における吊下げ長さの調整に伴う照明器具本体の吊り高さに適応した容易かつ簡単迅速な調整を可能にする。
【００１２】
次いで、第２の課題解決手段は、前後一対の反射板の相互間に隙間を設けることで前後一対の反射板の間に一定の間隔を保有させることを具体的に明示し、更に、第３の課題解決手段は、光源ランプとして直管形蛍光灯を用いること、吊具の吊下げ長さの調整手段としてラチェットを有して成る昇降調整機構を用いること、並びに、前後一対の反射板の前後対称連動手段として歯車連動機構を用いることをそれぞれ具体的に明示して、照明器具としての簡潔かつ適確な実現可能性と、その取扱い及び操作の容易性・簡単性・迅速性・確実性を明らかにする。
【発明の効果】
【００１３】
上述したように、本発明の照明器具は、照明器具本体の上面に略全般に亘って開口する１つの広い上面開口部を形成しており、かつ、当該上面開口部の上に配した前後一対の反射板の間に一定の間隔を保有させることができるので、光源ランプから上方へと向かう照明光を照明器具本体真上に投光させることができ、しかも、前後一対の反射板の影は極めて小さくも全く生じなくもでき、天井面の照度分布を均一化させることができる。
【００１４】
また、前後一対の反射板を前後対称に配するとともに前後対称連動にて双方の傾斜角度の調整を可能にしているので、いずれか一方の反射板の角度調整で両反射板を同時に角度調整でき、その調整は照明器具本体の吊り高さに適応させて容易かつ簡単に迅速に確実に行うことができ、総じて、簡潔かつ適確な照明器具を実現できる。
【図面の簡単な説明】
【００１５】
【図１】本発明の照明器具に係る原理図で、（Ａ）は第１の実施形態の原理を、（Ｂ）は第２の実施形態の原理を示している。
【図２】本発明の第１の実施形態を示す照明器具の一部截断正面図である。
【図３】同照明器具の側面図である。
【図４】本発明の第２の実施形態を示す照明器具の側面図である。
【図５】同第１の実施形態及び同第２の実施形態に係る照明器具に共通する主要部材の分解斜視図である。
【発明を実施するための形態】
【００１６】
以下、本発明の実施の形態を図１〜図５に基づいて説明する。
【００１７】
図１（Ａ）、図２、図３、図５は、光源ランプ１灯式の第１の実施形態を示しており、この照明器具は、左右方向に横長の光源ランプ２を内装した照明器具本体１の左右両端部に、吊下げ長さの調整が可能な左右一対の吊着用吊具３を備え、また、その照明器具本体１には、光源ランプ２からの照明光を下方へと投光させる１個の大きな下面開口部４と、上方へと投光させる１個の大きな上面開口部５とを設け、この上面開口部の上に前後一対の反射板６を装備させている。光源ランプ２は直管形蛍光灯でよいが、同様の横長の形態をなすものであればＬＥＤ等から成るものであってもよい。
【００１８】
照明器具本体１は、長方形のケーシング７から成り、このケーシング７には、下面を全般的に開放させて下面開口部４を設けるとともに、図５に示すように、上面を両端部以内で開放させて略上面全般に亘って開口する１つの広い上面開口部５を設け、残る両端部８には、前後一対の反射板６を装着するための左右一対のブラケット９を個別に接合して各々一体的に立設させており、各ブラケット９には、中間部において両反射板６を枢着するための前後一対の軸孔１０を穿設している。更に、上記残る両端部８には、内装した上記光源ランプ２の両端を電気的機械的に着脱自在に嵌合接続させる左右一対のソケット２２を各々垂設させている。なお、図示例ではケーシング７の両側面も開放させているが、開放させなくてもよい。
【００１９】
上面開口部５の上には、斜め上前方と斜め上後方とに起立する前後一対の反射板６を光源ランプ２に対してそれぞれ長手方向に沿わせてかつ前後対称に配しており、両反射板６には、下縁に回動基部１１を形成して各回動基部にそれぞれ横軸１２を挿通させ、各横軸の両端を前記左右一対のブラケット９の軸孔１０に回動自在に嵌合させて、両反射板６を各々回動自在に装備させており、各横軸１２の両端部には、各反射板６と各ブラケット９との間において、反射板側にこれと一体的に回動する歯車１３を、ブラケット側に対歯車用機械的負荷の摩擦部材１４をそれぞれ並べて配し、かつ、前後の歯車同士を噛合させて、両反射板６に前後対称連動にて双方の傾斜角度の調整と調整後の位置保持が得られるようにしている。また、前後一対の反射板６の回動基部１１間には、図５に明示するように、隙間１５を保有させて、光源ランプ２から上方に向かう投光を通過させるようにしている。
【００２０】
照明器具本体１の左右両端部に設けた左右一対の吊着用吊具３は、それぞれラチェット昇降調整機構１７を備えており、各ラチェット昇降調整機構は、上端を天井１６に固定する吊棒１８にラチェット歯１９を有し、各吊棒１８には、それぞれ小筐体２０を昇降自在に装着し、この小筐体には、ラチェット歯１９に噛合するラチェット爪と該ラチェット爪を噛合方向に付勢するスプリングとを内装するとともに、外部からそのスプリングに抗してラチェット爪の噛合を離脱させる押ボタン２１を設け、そして、その小筐体２０を各々一対のブラケット９の外面中央部に固着させている。なお、小筐体２０を天井１６側に取り付け、吊棒１８の下端をブラケット９側に取り付けてもよい。ただし、この場合には、吊棒１８を天井１６に出入自在に挿入させる必要がある。また、この場合の小筐体２０の取り付けは天井面でも天井裏面でもよいが、天井裏面とするときは押ボタン２１を操作するための配慮が必要であり、いずれにおいても化粧カバーを使用するとよい。
【００２１】
ここで、光源ランプ１灯式の第１の実施形態に係る上記構成の動作を説明する。この照明器具は、左右一対の吊具３により天井１６に取り付けるが、この際、ラチェット昇降調整機構１７を備えた各吊棒１８の上端をそれぞれ天井１６に固定する。照明器具本体１を上方へ移動させるときは、照明器具本体１を押し上げれば小筐体２０も上昇し、ラチェット歯１９に対するラチェット爪の噛合位置が上昇して、照明器具本体１は上方の任意の位置まで簡単に移動させることができる。照明器具本体１を下方へ移動させるときは、押ボタン２１を押しながら照明器具本体１を引き下げれば、その押ボタンの押し込みでラチェット爪がラチェット歯から離脱するので、照明器具本体１は小筐体２０共々任意の位置まで簡単に下降させることができ、所要の位置でその押ボタンをはなすことによりラチェット爪がラチェット歯の下部位置に噛合してその位置が維持確保されることとなる。
【００２２】
照明器具本体１では、光源ランプ２の照明光は１個の大きな下面開口部４を経て下方へと投光されるほか、１個の大きな上面開口部５を経て上方へも投光される。この上面開口部５を経た照明光は、前後一対の反射板６の回動基部１１間にある隙間１５を通過して照明器具本体１の真上の天井面に到達するものと、両反射板６に反射して前方及び後方の天井面に到達するものと、照明器具本体１の直前及び直後の天井面に直に到達するものとに別れ、そして、両反射板６によってのみ生じ得る天井面に映る影は、図１（Ａ）の原理図において点線が示すように、その幅が極めて小さいものとなる。したがって、天井面の照度分布を均等化させることができる。
【００２３】
また、斜め上前方と斜め上後方とに起立する前後一対の反射板６の角度調整には、いずれか一方の反射板を回動させればよく、この回動に伴い他方の反射板も双方間で噛合する各歯車１３を介して前後対称連動の関係で逆方向に回動し、この際、各摩擦部材１４が歯車の回転に機械的負荷を与えるので、両反射板６が自由に（妄りに）回動することを防止することができ、角度調整後の両反射板６にはその位置を保持させることができる。したがって、両反射板６は、吊具３における照明器具本体１の高さ調整に適応させて容易かつ簡単迅速に確実に角度調整できる。
【００２４】
次いで、図１（Ｂ）、図４、図５は、光源ランプ２灯式の第２の実施形態を示しており、正面図については、光源ランプ１灯式の第１の実施形態と同じに現われるので省略している。また、この２灯式の場合、２灯の光源ランプ２が並列に配されるほかは、上述の１灯式の場合と同じ構成となるから、ここでは図１（Ｂ）の原理図に従い相違する動作部分だけを説明する。
【００２５】
この２灯式の場合は、両光源ランプ２が一定の間隔を隔てて並列に配されるから、図１（Ｂ）の原理図において点線が示すように、各個の照明光で個別に天井面に生じる両反射板６の影は隣のランプの照明光により打ち消され、つまり、２灯間の協調作用によりそれぞれの影が解消されて、天井面には全く現われないことになる。したがって、天井面の照度分布を一層具合よく均等化させることができる。
【符号の説明】
【００２６】
１  照明器具本体
２  光源ランプ
３  吊具
４  下面開口部
５  上面開口部
６  反射板
７  ケーシング
８  両端部
９  ブラケット
１０  軸孔
１１  回動基部
１２  横軸
１３  歯車
１４  摩擦部材
１５  隙間
１６  天井
１７  ラチェット昇降調整機構
１８  吊棒
１９  ラチェット歯
２０  小筐体
２１  押ボタン
２２  ソケット
【図１】
2012142207.tif 000003
【図２】
2012142207.tif 000004
【図３】
2012142207.tif 000005
【図４】
2012142207.tif 000006
【図５】
2012142207.tif 000007